【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
発電装置から出力された直流電流を調整して、負荷装置が接続された配電網に交流電流を出力する第１の電力調整装置と、
蓄電池から出力された直流電流を調整して、前記配電網に交流電流を出力する第２の電力調整装置と、
前記第１の電力調整装置の出力電流を制御するための第１の指令値及び前記第２の電力調整装置の出力電流を制御するための第２の指令値を生成し、前記第１の指令値および前記第２の指令値をそれぞれ前記第１の電力調整装置および前記第２の電力調整装置に送信する電流制御装置とを備え、
前記電流制御装置は、
前記第１の指令値を前記第１の電力調整装置に送信して、矩形波形状の第１電流を前記第１の電力調整装置から前記配電網に出力させるとともに、前記第２の指令値を前記第２の電力調整装置に送信して、所望の電流波形から前記第１電流の矩形波形状を差し引いた波形の第２電流を前記第２の電力調整装置から前記配電網に出力させる、
電流制御システム。
【請求項２】
前記第１の電力調整装置及び前記第２の電力調整装置のそれぞれは、供給された電流の波形を変換するためのスイッチング素子を有しており、
前記第１の電力調整装置が有するスイッチング素子の切り替え頻度であるスイッチング周波数は１００Ｈｚあるいは１２０Ｈｚであり、
前記第２の電力調整装置が有するスイッチング素子のスイッチング周波数は１ｋＨｚ〜１００ｋＨｚ以下である
請求項１に記載の電流制御システム。
【請求項３】
前記電流制御システムは、当該電流制御システムが電力系統と連系して動作する系統連系モードと、当該電流制御システムが電力系統から切り離されて動作する自立運転モードとを切り替える切替部をさらに備え、
前記電流制御装置は、さらに、
前記切替部が前記自立運転モードを選択しているときは、さらに前記負荷装置に供給されている負荷電流を検出するセンサから前記負荷電流を受信し、前記負荷電流の波形から前記第１電流の波形を差し引いた波形の電流を前記第２電流として前記第２の電力調整装置から出力させ、
前記切替部が前記系統連系モードを選択しているときは、所望の正弦波形から前記第１電流の波形を差し引いた波形となる電流を前記第２電流として前記第２の電力調整装置から出力させる、
請求項１に記載の電流制御システム。
【請求項４】
前記電流制御システムは、発電装置から出力された直流電流を調整して、前記配電網に交流電流を出力する第３の電力調整装置をさらに備え、
前記電流制御装置は、さらに、
前記第１の電力調整装置の出力電流を制御するための第３の指令値を生成し、前記第３の指令値を前記第３の電力調整装置に送信して、矩形波形状の第３電流を前記第３の電力調整装置から前記配電網に出力させ、
前記切替部が前記自立運転モードを選択しているときは、さらに前記負荷装置に供給されている負荷電流を検出するセンサから前記負荷電流を受信し、前記負荷電流の波形から前記第１電流及び前記第３電流の矩形波形状を差し引いた波形の電流を前記第２電流として前記第２の電力調整装置から出力させ、
前記切替部が前記系統連系モードを選択しているときは、所望の正弦波形から前記第１電流及び前記第３電流の矩形波形状を差し引いた波形となる電流を前記第２電流として前記第２の電力調整装置から出力させる、
請求項３に記載の電流制御システム。
【請求項５】
前記電流制御装置は、さらに、
前記自立運転モードにおいて、前記第１電流の波形と前記第３電流の波形とを加えた波形が、前記負荷電流の波形に近似するように前記第１電流の波形を決定し、
前記系統連系モードにおいて、前記第１電流の波形と前記第３電流の波形とを加えた波形が、前記正弦波形に近似するように前記第１電流の波形を決定する
請求項４に記載の電流制御システム。
【請求項６】
前記電流制御装置は、前記切替部が前記自立運転モードを選択しているときは前記第２の電力調整装置を電流源として制御し、前記切替部が前記系統連系モードを選択しているときは前記第２の電力調整装置を電圧源として制御する、
請求項３〜５のいずれか１項に記載の電流制御システム。
【請求項７】
前記電流制御装置は、前記発電装置の定格電流よりも前記負荷電流が大きい場合は、前記第１の電力調整装置から前記負荷装置に出力される電力の余剰電力を前記蓄電池に充電させるための充電指令値を前記第２の指令値として生成し、当該充電指令値を前記第２の電力調整装置に通知する、
請求項３〜６のいずれか１項に記載の電力制御システム。
【請求項８】
前記発電装置は、燃料電池システムまたは太陽光発電システムである、
請求項１〜７のいずれか１項に記載の電流制御システム。
【請求項９】
発電装置から出力された直流電流を調整して負荷装置が接続された配電網に交流電流を出力する第１の電力調整装置、及び、蓄電池から出力された直流電流を調整して前記配電網に交流電流を出力する第２の電力調整装置と通信する通信部と、
前記第１の電力調整装置から出力される第１電流の波形が矩形波となり、前記第２の電力調整装置から出力される第２電流の波形が、所望の電流波形から前記第１電流の波形を差し引いた波形となるように、前記第１の電力調整装置及び前記第２の電力調整装置のそれぞれに出力させる電流を決定する決定部と、
決定された前記第１電流を前記第１の電力調整装置に出力させるための指令値を当該第１の電力調整装置に通知し、決定された前記第２電流を前記第２の電力調整装置に出力させるための指令値を当該第２の電力調整装置に通知する通知部とを備える
電流制御装置。
【請求項１０】
発電装置から出力された直流電流を調整して負荷装置が接続された配電網に交流電流を出力する第１の電力調整装置、および、蓄電池から出力された直流電流を調整して前記配電網に交流電流を出力する第２の電力調整装置を制御するための電流制御方法であって、
前記第１の電力調整装置から出力される第１電流の波形が矩形波となり、前記第２の電力調整装置から出力される第２電流の波形が、所望の電流波形から前記第１電流の波形を差し引いた波形となるように、前記第１の電力調整装置及び前記第２の電力調整装置のそれぞれに出力させる電流を決定する決定ステップと、
決定された前記第１電流を前記第１の電力調整装置に出力させるための指令値を当該第１の電力調整装置に通知し、決定された前記第２電流を前記第２の電力調整装置に出力させるための指令値を当該第２の電力調整装置に通知する通知ステップとを含む
電流制御方法。
【手続補正２】
【補正対象書類名】明細書
【補正対象項目名】００２９
【補正方法】変更
【補正の内容】
【００２９】
本発明に係る電流制御方法の一態様は、負荷装置が接続された配電網に第１電流を出力する第１の電気機器と、前記配電網に第２電流を出力する第２の電気機器とを制御するための電流制御方法であって、前記第１の電気機器は、供給された直流電流に対してパルス幅変調を施した電流である前記第１電流を前記配電網に出力する電流源であり、前記第１の電気機器から出力される前記第１電流の波形が矩形波となり、前記第２の電気機器から出力される前記第２電流の波形が、所定の電流波形から前記第１電流の波形を差し引いた波形となるように、前記第１の電気機器及び前記第２の電気機器のそれぞれに出力させる電流を決定する決定ステップと決定された前記第１電流を前記第１の電気機器に出力させるための指令値を、当該第１の電気機器に通知し、決定された前記第２電流を前記第２の電気機器に出力させるための指令値を、当該第２の電気機器に通知する通知ステップとを含む。
また、本発明に係る電流制御システムの一態様は、発電装置から出力された直流電流を調整して、負荷装置が接続された配電網に交流電流を出力する第１の電力調整装置と、蓄電池から出力された直流電流を調整して、前記配電網に交流電流を出力する第２の電力調整装置と、前記第１の電力調整装置の出力電流を制御するための第１の指令値及び前記第２の電力調整装置の出力電流を制御するための第２の指令値を生成し、前記第１の指令値および前記第２の指令値をそれぞれ前記第１の電力調整装置および前記第２の電力調整装置に送信する電流制御装置とを備え、前記電流制御装置は、前記第１の指令値を前記第１の電力調整装置に送信して、矩形波形状の第１電流を前記第１の電力調整装置から前記配電網に出力させるとともに、前記第２の指令値を前記第２の電力調整装置に送信して、所望の電流波形から前記第１電流の矩形波形状を差し引いた波形の第２電流を前記第２の電力調整装置から前記配電網に出力させる。
例えば、前記第１の電力調整装置及び前記第２の電力調整装置のそれぞれは、供給された電流の波形を変換するためのスイッチング素子を有しており、前記第１の電力調整装置が有するスイッチング素子の切り替え頻度であるスイッチング周波数は１００Ｈｚあるいは１２０Ｈｚであり、前記第２の電力調整装置が有するスイッチング素子のスイッチング周波数は１ｋＨｚ〜１００ｋＨｚ以下である。
例えば、前記電流制御システムは、当該電流制御システムが電力系統と連系して動作する系統連系モードと、当該電流制御システムが電力系統から切り離されて動作する自立運転モードとを切り替える切替部をさらに備え、前記電流制御装置は、さらに、前記切替部が前記自立運転モードを選択しているときは、さらに前記負荷装置に供給されている負荷電流を検出するセンサから前記負荷電流を受信し、前記負荷電流の波形から前記第１電流の波形を差し引いた波形の電流を前記第２電流として前記第２の電力調整装置から出力させ、前記切替部が前記系統連系モードを選択しているときは、所望の正弦波形から前記第１電流の波形を差し引いた波形となる電流を前記第２電流として前記第２の電力調整装置から出力させる。
例えば、前記電流制御システムは、発電装置から出力された直流電流を調整して、前記配電網に交流電流を出力する第３の電力調整装置をさらに備え、前記電流制御装置は、さらに、前記第１の電力調整装置の出力電流を制御するための第３の指令値を生成し、前記第３の指令値を前記第３の電力調整装置に送信して、矩形波形状の第３電流を前記第３の電力調整装置から前記配電網に出力させ、前記切替部が前記自立運転モードを選択しているときは、さらに前記負荷装置に供給されている負荷電流を検出するセンサから前記負荷電流を受信し、前記負荷電流の波形から前記第１電流及び前記第３電流の矩形波形状を差し引いた波形の電流を前記第２電流として前記第２の電力調整装置から出力させ、前記切替部が前記系統連系モードを選択しているときは、所望の正弦波形から前記第１電流及び前記第３電流の矩形波形状を差し引いた波形となる電流を前記第２電流として前記第２の電力調整装置から出力させる。
例えば、前記電流制御装置は、さらに、前記自立運転モードにおいて、前記第１電流の波形と前記第３電流の波形とを加えた波形が、前記負荷電流の波形に近似するように前記第１電流の波形を決定し、前記系統連系モードにおいて、前記第１電流の波形と前記第３電流の波形とを加えた波形が、前記正弦波形に近似するように前記第１電流の波形を決定する。
例えば、前記電流制御装置は、前記切替部が前記自立運転モードを選択しているときは前記第２の電力調整装置を電流源として制御し、前記切替部が前記系統連系モードを選択しているときは前記第２の電力調整装置を電圧源として制御する。
例えば、前記電流制御装置は、前記発電装置の定格電流よりも前記負荷電流が大きい場合は、前記第１の電力調整装置から前記負荷装置に出力される電力の余剰電力を前記蓄電池に充電させるための充電指令値を前記第２の指令値として生成し、当該充電指令値を前記第２の電力調整装置に通知する。
例えば、前記発電装置は、燃料電池システムまたは太陽光発電システムである。
また、本発明に係る電流制御装置の一態様は、発電装置から出力された直流電流を調整して負荷装置が接続された配電網に交流電流を出力する第１の電力調整装置、及び、蓄電池から出力された直流電流を調整して前記配電網に交流電流を出力する第２の電力調整装置と通信する通信部と、前記第１の電力調整装置から出力される第１電流の波形が矩形波となり、前記第２の電力調整装置から出力される第２電流の波形が、所望の電流波形から前記第１電流の波形を差し引いた波形となるように、前記第１の電力調整装置及び前記第２の電力調整装置のそれぞれに出力させる電流を決定する決定部と、決定された前記第１電流を前記第１の電力調整装置に出力させるための指令値を当該第１の電力調整装置に通知し、決定された前記第２電流を前記第２の電力調整装置に出力させるための指令値を当該第２の電力調整装置に通知する通知部とを備える。
また、本発明に係る電流制御方法の一態様は、発電装置から出力された直流電流を調整して負荷装置が接続された配電網に交流電流を出力する第１の電力調整装置、および、蓄電池から出力された直流電流を調整して前記配電網に交流電流を出力する第２の電力調整装置を制御するための電流制御方法であって、前記第１の電力調整装置から出力される第１電流の波形が矩形波となり、前記第２の電力調整装置から出力される第２電流の波形が、所望の電流波形から前記第１電流の波形を差し引いた波形となるように、前記第１の電力調整装置及び前記第２の電力調整装置のそれぞれに出力させる電流を決定する決定ステップと、決定された前記第１電流を前記第１の電力調整装置に出力させるための指令値を当該第１の電力調整装置に通知し、決定された前記第２電流を前記第２の電力調整装置に出力させるための指令値を当該第２の電力調整装置に通知する通知ステップとを含む。